(57)【要約】【課題】適切に管理されたGUIデータをユーザの選択により切り替えて使用することが出来るデジタル放送受信装置を提供する。【解決手段】デジタル放送を受信可能な装置であって、GUIデータの提示条件を判断する手段と、前記提示条件判断手段で提示可能と判断された場合に指定されたGUIデータを提示する手段と、前記提示手段で提示されたデータから表示に利用するGUIデータを選択するデータ選択手段と、前記選択手段で選択されたGUIデータの利用に許諾情報の入力が必要な際に許諾情報の入力を要求し、入力された情報が許諾条件を満たしているか判断する手段と、前記許諾条件判断手段で許諾条件を満たすと判断した場合にGUIデータを前記装置内に記憶するデータ記憶手段と、前記記憶手段からGUIデータを利用する際に、付随する利用条件に従ってグラフィック表示を行うグラフィック表示手段とを備えたことを特徴とするデジタル放送受信装置。【選択図】  図３
2010237769.tif 000002
【特許請求の範囲】
【請求項１】
通信ネットワーク、もしくは着脱可能な記録メディアからグラフィックデータやテキストデータや音声データ等で構成され、GUIを提供するためのデータ（以下GUIデータ）を少なくとも１つ以上入力するデータ入力手段と、
GUIデータを記憶する記憶手段と、
前記入力手段から入力されたデータもしくは前記記憶手段内に記憶されているGUIデータの少なくともいずれかの提示条件を判断する提示条件判断手段と、
前記提示条件判断手段で提示可能と判断された場合に指定されたGUIデータを提示する提示手段と、
前記提示手段で提示されたデータから表示に利用するGUIデータを選択する選択手段と、
前記選択手段で選択されたGUIデータの利用に許諾情報の入力が必要な際に許諾情報の入力を要求し、入力された情報が許諾条件を満たしているか判断する許諾条件判断手段と、
前記記憶手段からGUIデータを利用する際に、このGUIデータに付随する利用条件に従ってGUIデータのグラフィック表示を行うグラフィック表示手段とを備え、前記記憶手段は前記許諾条件判断手段で許諾条件を満たすと判断した場合にGUIデータを記憶することを特徴とするデジタル放送受信装置。
【請求項２】
前記提示条件判断手段では、GUIデータの提示条件判断のために、予め設定している暗証番号を入力する手段を備えたことを特徴とする請求項１に記載のデジタル放送受信装置。
【請求項３】
前記提示手段は、利用制限解除状態で表示する機能を備えたことを特徴とする請求項１に記載のデジタル放送受信装置。
【請求項４】
前記記憶手段では、前記許諾条件判断手段で入力された情報から得られた復号鍵で暗号化されたGUIデータを復号して記憶することを特徴とする請求項１に記載のデジタル放送受信装置。
【請求項５】
前記記憶手段では、記憶手段内の残記憶容量に対して記憶するデータが大きい場合にすでに記憶しているデータのバックアップが必要である旨のメッセージを表示することを特徴とする請求項１に記載のデジタル放送受信装置。
【請求項６】
前記利用条件は少なくともGUIデータの利用開始可能日時、利用可能期間、更新通知日時に関する情報を含むことを特徴とする請求項１に記載のデジタル放送受信装置。
【発明の詳細な説明】
【技術分野】
【０００１】
本発明は、画面に表示するＧＵＩデータの変更、追加機能を可能にしたデジタル放送受信装置に関する。
【背景技術】
【０００２】
デジタル放送受信装置で使用するＬＳＩの性能向上により、従来テキストのみのメニュー表示（例えば特許文献１の図２）であったものが簡単にグラフィックを多用した表示が可能な状態になってきている。
【先行技術文献】
【特許文献】
【０００３】
【特許文献１】特開２００６−２５２２７６号公報
【発明の概要】
【発明が解決しようとする課題】
【０００４】
しかし、グラフィックを多用した表示は人によって好みが分かれるので、ユーザごとにカスタマイズできることが望ましい。つまり、ＧＵＩ（Graphical User Interface）提供に利用するデータとしてはグラフィックデータや音声データやテキストデータ等の組み合わせや内容を適宜変更できることが望ましい。ここでは、これらデータを総称してＧＵＩデータと表記する。
【０００５】
ただし、これらデータが利用者以外が作成したデータである場合には著作権管理されたうえで、変更等の操作が行えることが望ましい。
本発明はこのような課題に鑑みてなされたものであり、適切に管理されたＧＵＩデータをユーザの選択により切り替えて使用することが出来るデジタル放送受信装置を提供することを目的とする。
【課題を解決するための手段】
【０００６】
上記課題を解決するために、本発明のデジタル放送受信装置は、デジタル放送を受信可能な装置であって、通信ネットワーク、もしくは着脱可能な記録メディアから少なくとも１つ以上のＧＵＩデータを入力するデータ入力手段と、前記入力手段から入力されたデータもしくは前記装置内に記憶されているＧＵＩデータの少なくともいずれかの提示条件を判断する手段と、前記提示条件判断手段で提示可能と判断された場合に指定されたＧＵＩデータを提示する手段と、前記提示手段で提示されたデータから表示に利用するＧＵＩデータを選択するデータ選択手段と、前記選択手段で選択されたＧＵＩデータの利用に許諾情報の入力が必要な際に許諾情報の入力を要求し、入力された情報が許諾条件を満たしているか判断する手段と、前記許諾条件判断手段で許諾条件を満たすと判断した場合にＧＵＩデータを前記装置内に記憶するデータ記憶手段と、前記記憶手段からＧＵＩデータを利用する際に、付随する利用条件に従ってグラフィック表示を行うグラフィック表示手段とを備えたことを特徴とする。
【発明の効果】
【０００７】
本発明によれば、適切に管理されたＧＵＩデータをユーザの選択により切り替えて使用することが出来るデジタル放送受信装置が得られる。
【図面の簡単な説明】
【０００８】
【図１】この発明の一実施形態を示すブロック構成図。
【図２】同実施形態で用いるデータの構成図。
【図３】同実施形態のＧＵＩデータファイル２１としてＧＵＩデータが複数あるときに、どのＧＵＩデータを用いてＧＵＩ表示させるかを選択させるときの動作を示すフローチャートとＧＵＩデータを選択するための表示画面。
【図４】同実施形態のＧＵＩデータファイル２１の設定制限されたＧＵＩデータを選択させるときの動作を示す処理のフローチャート。
【図５】同実施形態のＴＶ内のメモリに読み込ませたＧＵＩ情報の外部メモリへのバックアップ処理のフローチャート。
【図６】同実施形態のプレビュー制限されたコンテンツに関わる処理の表示画面例。
【図７】同実施形態の設定制限されたコンテンツに関わる処理の表示画面例。
【図８】同実施形態のバックアップ処理に関わる表示画面例。
【図９】同実施形態に用いられるリモコンの説明図。
【発明を実施するための形態】
【０００９】
以下、本発明の一実施形態に係るデジタル放送受信装置について添付図面を参照して説明する。
図１はこのデジタル放送受信装置１０１の構成を示す。デジタル放送受信装置１０１は、チューナ部１０２、ＴＳ分離部１０３、デスクランブラ１０４、ＡＶデコード部１０５、表示処理部１０６、ＣＡＳ制御部１０７、ＣＡＳカード１０８、制御部１０９、グラフィック処理部１１０、入力処理部１１１、通信処理部１１２、データ管理部１１３、外部入出力処理部１１６、および記録媒体部１１４を備える。
【００１０】
以下、各部の特徴及び動作を説明する。
チューナ部１０２は、デジタル放送受信装置１０１に入力された放送波から所望のチャンネルを選局し、この選局したチャンネルのトランスポートストリーム（以下、ＴＳと記す）をＴＳ分離部１０３へ出力する。
【００１１】
ＴＳ分離部１０３は、チューナ部１０２から入力されたＴＳから必要なパケットを分離し、この分離したパケットから更に、放送番組信号（映像、音声）の抽出や各種多重データ（各種ＳＩ（Service Information）データやＥＣＭ，ＥＭＭ等）を分離する。また、ＴＳ分離部１０３は、分離した放送番組信号（映像、音声）のパケットをデスクランブラ１０４に供給する。
【００１２】
デスクランブラ１０４ではＣＡＳ制御部１０７を介して接続されるＣＡＳカードから得られるスクランブル鍵が設定されて、このスクランブル鍵を用いて放送番組信号（映像、音声）のパケットに関してスクランブルされているペイロード部分のデスクランブル処理を行い、ＡＶデコード部１０５に出力する。
【００１３】
ＡＶデコード部１０５は、デスクランブル部１０４から入力された放送番組信号（映像、音声）のデコードを行い、表示処理部１０６へ出力する。
表示処理部１０６は、ＡＶデコード部１０５から入力された放送番組信号（映像、音声）を図示しない外部のモニタである表示装置へ出力し表示・音声再生させる。
また、表示処理部１０６は、グラフィック処理部１１０で作成されたデータを上記ＡＶ信号と切り替えもしくは双方を合成して出力する機能ももつ。
通信処理部１１２は、Ｅｔｈｅｒｎｅｔ（登録商標）等のネットワーク回線に接続され、ネットワークを介してデータの送受を行うものであり、コンテンツ配信事業者側のサーバーからコンテンツやライセンスを受信する機能を有する。
【００１４】
外部入出力処理部１１６は例えばＳＤカードＩ/Ｆのような記録メディアの読み書きを行うものやＵＳＢ  Ｉ／Ｆのような標準Ｉ／Ｆ機能であり、外部入出力処理部１１６に接続された機器やメディアとデータのやりとりを行うものである。
【００１５】
データ管理部１１３は通信処理部１１２や外部入出力処理部１１６から入力されたデータを管理するものであり、データの利用判定や記録媒体部への記録制御、グラフィック処理部１１０へのデータ供給を行う。
【００１６】
制御部１０９は、デジタル放送受信装置１０１全体を制御する制御部であり、バス接続やシリアル通信接続等で接続されたデジタル放送受信装置１０１内の各ブロックによる機能を制御する。
【００１７】
図２はこのデジタル放送受信装置１０１で用いる設定メニュー等のＧＵＩをグラフィックで表示するためのデータの構成を示す。
デジタル放送受信装置１０１の設定メニュー等をグラフィックで表示（グラフィカル・ユーザ・インタフェース表示；ＧＵＩ表示）するためのデータは、図２のようにＧＵＩデータファイル２１と、その使用条件、利用条件を定義したファイルである使用条件ファイル２２と、利用条件ファイル２３とから構成されている。これらＧＵＩデータと使用条件と利用条件は必ずしもファイル形式で納められる必要はないが、実装設計の例としてファイル形式としている。実効上にはＧＵＩデータはＧＵＩの数だけあり、各ＧＵＩデータは、対応する使用条件、利用条件のデータは一緒にデータ量として計算する場合、「ＧＵＩデータ」＋「使用条件データ」＋「利用条件データ」の３つを合わせて、「ＧＵＩ情報」の名で以下記載し説明する。このＧＵＩ情報単位でファイルとする実装形態でもよい。
【００１８】
ＧＵＩデータファイル２１のＧＵＩデータは、必要に応じて暗号化される。ＧＵＩデータは、ＧＵＩを表示するための画像やＧＵＩで用いる効果音等の音声のデータである。この音声のデータとしては、例えばユーザがリモコン等を操作して音量をアップさせたとき、ＧＵＩとして音量を示すバーの長さを変更するのに合わせて音声再生させる効果音等である。ＧＵＩデータとしては以下述べるようなＦｌａｓｈ等を用いればよい。
【００１９】
まず、スクリプト言語で記述されたアプリケーションであるスクリプトプログラムの実行という方法に拠ることができる。
従来、特定のプラットフォーム（ＣＰＵ等のハードウェアやＯＳといった基礎部分）に依存しないプログラム言語として、スクリプト言語がある。ＣやＣ＋＋などのコンパイル方式の言語では、ソースコードから各プラットフォームに特化したオブジェクトコードを生成するコンパイルという処理が必要とされるのに対し、スクリプト言語では、インタープリタと呼ばれる処理系上でソースコードが読み込まれ実行される。
【００２０】
さてマルチメディアコンテンツのフォーマット形態として、Ｍａｃｒｏｍｅｄｉａ社のＦｌａｓｈ（ｓｗｆ）やＳｈｏｃｋｗａｖｅ、Ｗ３Ｃ標準のＳＶＧ（Ｓｃａｒａｂｌｅ  Ｖｅｃｔｏｒ  Ｇｒａｐｈｉｃｓ）、ＥＶＡアニメータなどがあった。また、一からオブジェクト指向言語Ｊａｖａ（登録商標）等を使って、コンテンツを１から作成することも考えられる。
【００２１】
ここでは、Ｍａｃｒｏｍｅｄｉａ社からＡｄｏｂｅ  Ｓｙｓｔｅｍｓ社に引き継がれたＦｌａｓｈを使用した例を述べる。このフォーマットでは、アニメーションが座標単位のベクターの集合として表され、時系列上で変化する記述が可能である。また、アニメーション描画以外の、画像、音声、動画、入出力等も扱うことができるが、さらに、Ｗ３Ｃにて標準化されているＥＣＭＡスクリプトに準拠したＡｃｔｉｏｎＳｃｒｉｐｔというプログラム言語により、画面上のアニメーションや画像、音声、入出力制御、通信制御などをコントロールするプログラミングが可能である。
【００２２】
これらを組み合わせてボタンやフォームなどもつくることができ、標準形のコンポーネントとしてオーサリングツールにおいても用意されている。
ＧＵＩデータファイル２１のＧＵＩデータは、使用条件ファイル２２によって使用条件、利用条件ファイル２３によって利用条件が対応付けられている。ＧＵＩデータファイル２１に複数のＧＵＩデータがある場合には、ＧＵＩデータそれぞれに対して異なる使用条件、利用条件が対応付けられていてもよい。
【００２３】
使用条件ファイル２２には、例えば成人向けＧＵＩデータの場合、ＧＵＩデータのプレビュー表示可能の可否（このプレビュー表示の可否については図３を用いて後に説明する）、例えば購入すれば利用可等の購入情報などが定義される。なお、ＧＵＩデータへの参照とは、ＧＵＩデータが暗号化されているか否か、即ち使用するのに復号鍵が必要か否かという情報を定義するものである。
【００２４】
利用条件ファイル２３にはＧＵＩデータの利用開始日時、有効期間等のＧＵＩデータの利用に関する制御条件が定義される。復号鍵は、ＧＵＩデータの購入や、携帯サイトの広告の視聴、懸賞の当選等により取得され定義される。
【００２５】
ＧＵＩデータファイル２１のＧＵＩデータは子供向けから大人向けまで提供されることが想定され、成人向けの場合には受信機に設定されているパスワードの要求を行い、適正な入力があった場合にＧＵＩデータの表示を許可するように制御する。
【００２６】
次に説明する図３、図４と図５の各フローチャートは、ユーザがあるグラフィックを例えばリストから選択したときの動作を説明するための図である。例えば、先にユーザ操作に関する次の３つのステップを経る。（ステップ１）メニューを用いて、グラフィック変更を指示、（ステップ２）ＧＵＩデータ一覧をネットワーク、記憶媒体から取得して表示、（ステップ３）ユーザによるＧＵＩデータ一覧から所望のＧＵＩデータの選択。
【００２７】
図３（ａ）はデータ管理部１１３のＧＵＩデータファイル２１としてＧＵＩデータが複数あるときに、どのＧＵＩデータを用いてＧＵＩ表示させるかを選択させるときの動作のフローチャートを示す。この動作は、プレビュー制限されたＧＵＩデータに関わる処理である。
【００２８】
ステップＳ３０１：データ管理部１１３は、処理の対象とする図２で述べたＧＵＩデータがプレビュー制限されたＧＵＩデータである場合にはステップＳ３０２へ進み、プレビュー制限されたＧＵＩデータでない場合にはステップＳ３０５へ進む。
【００２９】
ステップＳ３０２：データ管理部１１３は、ユーザが図６に関して後述のように暗証番号を入力することによってこの暗証番号と対応付けられた年齢条件を取り込み、ステップＳ３０３へ進む。
【００３０】
ステップＳ３０３：データ管理部１１３は、ＧＵＩデータにプレビュー制限条件として付帯する年齢の制限がステップＳ３０２で入力された条件をクリアしているか判定し、クリアしていない場合にはステップＳ３０４へ進み、クリアしている場合にはステップＳ３０５へ進む。
【００３１】
ステップＳ３０４：データ管理部１１３は、プレビュー不可の処理をし、ＧＵＩデータファイル２１としてＧＵＩデータが複数あるときに、どのＧＵＩデータを用いてＧＵＩ表示させるかを選択させるときの動作の処理を終了する。
【００３２】
ステップＳ３０５：データ管理部１１３は、プレビューを表示し、ＧＵＩデータファイル２１としてＧＵＩデータが複数あるときに、どのＧＵＩデータを用いてＧＵＩ表示させるかを選択させるときの動作の処理を終了する。
【００３３】
なお図３（ｂ）は、上記ステップＳ３０１に関連するＧＵＩデータを選択するための表示画面例である。ＧＵＩデータの一覧表示としてはテキスト＋アイコン（プレビュー表示可能なもの）で表示し、ユーザ操作によりプレビュー表示が指示された場合には実際にプレビュー画面を表示する。図３（ｂ）の例では、テキスト列３１の上から２番目のテキストに後述のような方法でリモコンＲでカーソルを合わせることによって、対応するアイコン３２が表示されている。このまま２番目のテキストをリモコンＲで選択するとステップＳ３０１の処理が行われる。
【００３４】
次に説明する図４と図５の各フローチャートは、ユーザが図３でプレビュー表示させた中から選択した以降の動作（選択したＧＵＩデータによるＧＵＩに切り替えるところの動作）を説明するための図である。
【００３５】
図４は、上記ステップ３において所望のＧＵＩデータの選択が行われた後におけるデータ管理部１１３のＧＵＩデータファイル２１の設定制限されたＧＵＩデータを選択させるときの動作を示す処理のフローチャートを示す。
【００３６】
ステップＳ４０１：データ管理部１１３は、処理の対象とするＧＵＩデータが設定制限されたＧＵＩデータである場合にはステップＳ４０２へ進み、設定制限されたＧＵＩデータでない場合にはステップＳ４０５へ進む。
【００３７】
ステップＳ４０２：データ管理部１１３は、利用条件ファイル２３内の制限解除条件を取り込み、ステップＳ４０３へ進む。
ステップＳ４０３：データ管理部１１３は、条件をクリア（例えば、復号鍵でコンテンツが正常に復号できた、利用可の期限を越えていない、といったもの）しているか判定し、クリアしていない場合にはステップＳ４０４へ進み、クリアしている場合にはステップＳ４０５へ進む。なお、ここで条件をクリアというのは、例えば、使用条件に関して暗号化されているＧＵＩデータについては利用条件で設定されている復号鍵でコンテンツが正常に復号できた、といったものである。
【００３８】
ステップＳ４０４：データ管理部１１３は、設定不可のエラーメッセージ表示をし、処理を終了する。
ステップＳ４０５：データ管理部１１３は、選択したグラフィックをデジタル放送受信装置１０１の設定メニュー等に用いるＧＵＩデータとして設定し、処理を終了する。
【００３９】
図５はデータ管理部１１３のＴＶ内のメモリに読み込ませたＧＵＩ情報の外部メモリへのバックアップ処理等に関するフローチャートを示す。
ステップＳ５０１：データ管理部１１３は、ＧＵＩ情報の記録に必要なメモリ量を計算し、ステップＳ５０２へ進む。
ステップＳ５０２：データ管理部１１３は、新しいＧＵＩ情報を追加可能な容量が記録媒体部１１６にあるか判定し、追加可能な容量がある場合にはステップＳ５０３へ進み、追加可能な容量がない場合にはステップＳ５０４へ進む。
【００４０】
ステップＳ５０３：データ管理部１１３は、上記ステップ３で選択したＧＵＩデータをデジタル放送受信装置１０１の設定メニュー等に用いるＧＵＩデータとして設定し、処理を終了する。
【００４１】
ステップＳ５０４：データ管理部１１３は、記録媒体部１１６の記憶領域がいっぱいの旨と外部へのバックアップを促すメッセージ表示し、ステップＳ５０５へ進む。この外部へのバックアップを促すメッセージは、例えば画面に「バックアップしますか？」と「はい」と「いいえ」を表示する形をとる。
【００４２】
ステップＳ５０５：データ管理部１１３は、バックアップ処理選択のユーザ入力、即ち画面の「はい」をリモコンＲのボタンで選択、決定を行うことがあるか判定し、ある場合にはステップＳ５０６へ進み、ない場合、即ち画面の「いいえ」をリモコンＲのボタンで選択、決定を行った場合にはステップＳ５０８へ進む。
【００４３】
ステップＳ５０６：データ管理部１１３は、ＧＵＩデータをバックアップ先である図１の外部入出力処理部１１６に接続された機器やメディアにバックアップ処理し、ステップＳ５０７へ進む。
【００４４】
ステップＳ５０７：データ管理部１１３は、図３の説明の前に説明したステップ３で選択したこのＧＵＩデータをデジタル放送受信装置１０１の設定メニュー等に用いるＧＵＩデータとして設定し、処理を終了する。
【００４５】
ステップＳ５０８：データ管理部１１３は、削除処理が選択されたか否かを判定し、削除処理が選択された場合にはステップＳ５０９へ進み、選択されない場合にはステップＳ５１１へ進む。
【００４６】
ステップＳ５０９：データ管理部１１３は、ＧＵＩデータを削除処理し、ステップＳ５１０へ進む。
ステップＳ５１０：データ管理部１１３は、上記ステップ３で選択したＧＵＩデータをデジタル放送受信装置１０１の設定メニュー等に用いるＧＵＩデータとして設定し、処理を終了する。
【００４７】
ステップＳ５１１：データ管理部１１３は、上記ステップ３で選択したＧＵＩデータをデジタル放送受信装置１０１の設定メニュー等に用いるＧＵＩデータとして設定しない旨の表示をし、処理を終了する。
【００４８】
なおステップＳ５０９のＧＵＩデータのデジタル放送受信装置１０１内の記録媒体部１１６からの削除処理は例えば次のようなステップで行われる。（４）で容量ありと判定されれば、次のステップＳ５１０へ進む。
【００４９】
（１）削除可能なコンテンツの提示（一覧、古いもの順、使用頻度順等）
（２）ユーザによる削除コンテンツの選択
（３）確認メッセージ（本当にいいですか？等、ここでやめる選択もあり）
（４）新しいＧＵＩ情報を追加可能な容量が記録媒体部１１６にあるか判定し、無ければ上記（１）から繰り返し
図６は、前記使用条件で、プレビュー表示可能の可否において年齢と組み合わされてプレビュー制限されたＧＵＩデータに関わる処理の表示装置１２０への表示画面である。図６（ａ）〜（ｅ）は図３に関して説明したようなユーザが暗証番号を入力することによってこの暗証番号と対応付けられた年齢条件をデータ管理部１１３が取り込む処理である。また、図６（ｆ）は、ＧＵＩデータをプレビューする段階で暗証番号をユーザが入力し即ちこの暗証番号と対応付けられた年齢が、このＧＵＩデータに付帯している年齢制限をクリアするか判定されるための処理である。
【００５０】
図６（ｆ）では、「プレビューには暗証番号が必要です」というメッセージが表示されているが、この暗証番号は図９に示したリモコンＲのボタン等を次のように予め操作して登録しておく。なお「プレビューには暗証番号が必要です」というメッセージが表示されるのは、プレビューに暗証番号が必要なＧＵＩデータを選択したときである。
【００５１】
（１）「視聴年齢制限設定」状態にする。
図９に示したリモコンＲの設定メニューボタン９１を押下げると図６（ａ）に示す画面がディスプレイ上に表示される。次に図６（ａ）に示すように、図９に示したリモコンＲの上下左右ボタン９２の上下矢印位置を押し下げることによって、斜線部で示したカーソルを動かして「機能設定」を選び、決定ボタン９３を押下げると図６（ｂ）に示す画面がディスプレイ上に表示される。次に図６（ｂ）のように上下左右ボタン９２の上下矢印位置を押し下げることによって「視聴制限設定」を選び、決定ボタン９３を押下げると図６（ｃ）に示す画面がディスプレイ上に表示される。
【００５２】
（２）暗証番号の入力待ち状態にする。
図６（ｃ）のような画面表示において同様に上下左右ボタン９２の上下矢印位置を押し下げることによって「視聴年齢制限設定」（既定値は「制限しない」である）を選び、決定ボタン９３を押下げると図６（ｄ）に示す画面がディスプレイ上に表示される。
【００５３】
（３）暗証番号を入力する。
図６（ｄ）のような画面表示において数字ボタン群９４の中から任意の４ボタンで４桁の暗証番号を入力すると図６（ｅ）に示す画面がディスプレイ上に表示される。
【００５４】
（４）年齢を設定する。
続いて図６（ｅ）のような画面表示において上下左右ボタン９２の左右矢印位置を押し下げることによって年齢を選び、決定ボタン９３を押下げる。この操作により上記４桁の暗証番号とここで選んだ年齢とが対応付けられて記録媒体部１１４に記憶される。次に終了ボタン９５を押下げて一連の設定処理を終了する。
【００５５】
図６の説明に戻ると、図３のステップＳ３０２の年齢条件に対応した暗証番号を入力することになる。図６（ｆ）に関して前述のステップＳ３０２のように、コンテンツをプレビューする段階で暗証番号をユーザが入力し即ちこの暗証番号と対応付けられた年齢が、このコンテンツに付帯している年齢制限をクリアするか次のステップで判定されることになる。
【００５６】
図７は設定制限されたＧＵＩデータに関わる処理の表示画面である。
「設定してよろしいですか？」というメッセージが表示されているが、この設定が可能となるためには、ＧＵＩデータ本体２１のＧＵＩデータに例えば添付されている認証情報を扱うための復号鍵を予め購入する、携帯サイトの籤に当選する、アンケートに答えるあるいは広告を見る等の動作で取得しておく必要がある。
【００５７】
設定が可能な場合は、木で表現されている音量を上げると音量数値の増大に伴い木が大きくなるといった表現となる。設定手順としては、図９に示したリモコンＲの設定メニューボタン９１を押下げると図６（ａ）に示す画面がディスプレイ上に表示される。次に図６（ａ）同様に図９に示したリモコンＲの上下左右ボタン９２の上下矢印位置を押し下げることによって、斜線部で示したカーソルを動かしてこの設定では「音量設定」を選び、決定ボタン９３を押下げると図７に示す画面がディスプレイ上に表示される。この表示状態においてリモコンＲの操作でまず決定ボタン９３を押下げると木が例えば強調表示される。この表示状態で上下左右ボタン９２の左右矢印位置を押し下げることによって音量数値の増大または減少となる。この表示状態で終了ボタン９５を押下げて設定処理を終了する。
【００５８】
図８はバックアップ処理に関わる表示画面である。以下のようなメッセージが表示されている。
「記憶領域がいっぱいです。バックアップ先を指定してください
１．ＳＤカード
２．ＨＤＤ
設定してよろしいですか？」
上記は、図５のステップＳ５０４に対応する。
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００５９】
１０１…デジタル放送受信装置、１０２…チューナ部、１０３…ＴＳ分離部、１０４…デスクランブラ、１０５…ＡＶデコード部、１０６…表示処理部、１０７…ＣＡＳ制御部、１０８…ＣＡＳカード、１０９…制御部、１１０…グラフィック処理部、１１１…入力処理部、１１２…通信処理部、１１３…データ管理部、１１４…記録媒体部、１１６…外部入出力処理部、１２０…表示装置、Ｒ…リモコン。
【図１】
2010237769.tif 000003
【図２】
2010237769.tif 000004
【図３】
2010237769.tif 000005
【図４】
2010237769.tif 000006
【図５】
2010237769.tif 000007
【図６】
2010237769.tif 000008
【図７】
2010237769.tif 000009
【図８】
2010237769.tif 000010
【図９】
2010237769.tif 000011